(57)【要約】【課題】本考案は、板材に限らず、仮設工事に使用する手摺用垂木、仮囲い用丸波トタン、安全通路用合板（コンパネ）、落下防止用巾木を取り付けることができる単管クランプを提供することを目的とする。【解決手段】可動クランプ３には締付ボルト５が設けられ、前記締付ボルト５を締付けることにより仮設パイプなどの取付杆部に本考案の単管クランプ１を固定することができる。固定クランプ２の側壁面には枢支軸７に回転自在に枢着された断面コ字状の挟持部８が設けられ、前記挟持部８の両側壁９，９には内方側に膨出する円弧状のスプリング１０，１０が設けられる。前記スプリング１０，１０は上部を固定され三方を開放した長方形状に設けられ、前記側壁９の両側に所定間隔を空けて設けられる。前記スプリング１０，１０の膨出頂部にはビス穴１１，１１がそれぞれ設けられると共に、前記側壁９の前記枢支軸７と対向する個所にビス穴を形成する。【選択図】図１
0003122672.tif 000002
【実用新案登録請求の範囲】
【請求項１】
仮設パイプなどの取付杆部に被嵌して締付固定する断面逆Ｌ状の固定クランプ及び断面半円状の可動クランプからなり、前記固定クランプの両端に支軸がそれぞれ垂設されて前記可動クランプの一端及び締付ボルトが前記支軸に回動自在に連結され、前記可動クランプの他端には前記締付ボルトが嵌合する嵌合溝が設けられ、前記締付ボルトには締付ナットが螺合されて前記嵌合溝に嵌合した締付ボルトを締付けることにより仮設パイプなどの取付杆部に固定することができる単管クランプにおいて、前記固定クランプの側壁面には枢支軸に回転自在に枢着された断面コ字状の挟持部が設けられ、前記挟持部の一方の側壁中央に枢支軸が枢着されると共に、前記挟持部の両側壁には内方側に膨出する円弧状のスプリングが設けられることを特徴とする単管クランプ。
【請求項２】
前記スプリングは上部を固定され三方を開放した長方形状に設けられ、前記側壁の両側に所定間隔を空けて設けられ、前記スプリングの膨出頂部にはビス穴がそれぞれ設けられると共に、前記側壁の前記枢支軸と対向する個所にビス穴を形成したことを特徴とする請求項１記載の単管クランプ。
【考案の詳細な説明】
【技術分野】
【０００１】
本考案は、仮設工事に使用する手摺用垂木、仮囲い用丸波トタン、安全通路用合板（コンパネ）、落下防止用巾木を取り付けることができる単管クランプに関する。
【背景技術】
【０００２】
従来、仮設足場の仮設パイプなどの取付杆部に対して板材を取付けするための板材取付用クランプが実施されている。
この板材取付用クランプは、締付クランプの側部に、断面略コ字状の板状嵌入部を設けた構成で、この板材嵌入部に嵌入した板材を釘止めやネジ止め等により固定するものであった。
この板材取付用クランプを改良したものとして、板材嵌入部に板材を圧入嵌合して簡単且つ安定的に固定できる板材取付用クランプが公知となっている（特許文献１を参照）。
この公知技術は、仮設パイプなどの取付杆部に被嵌して締付固定する締付クランプの側部に、板材を嵌入して挟み込み状態に保持する断面略コ字状の板材嵌入部を設け、この板材嵌入部を幅狭くなるように構成して板材に対して圧接する圧接部を設け、この圧接部により板材を板材嵌入部に圧入嵌合固定し得るようにしたものである。
【特許文献１】特開２００３−１０６３１４号公報
【考案の開示】
【考案が解決しようとする課題】
【０００３】
本考案は、板材に限らず、仮設工事に使用する手摺用垂木、仮囲い用丸波トタン、安全通路用合板（コンパネ）、落下防止用巾木を取り付けることができる単管クランプを提供することを目的とする。
【課題を解決するための手段】
【０００４】
本考案の単管クランプは、仮設パイプなどの取付杆部に被嵌して締付固定する断面逆Ｌ状の固定クランプ及び断面半円状の可動クランプからなり、前記固定クランプの両端に支軸がそれぞれ垂設されて前記可動クランプの一端及び締付ボルトが前記支軸に回動自在に連結され、前記可動クランプの他端には前記締付ボルトが嵌合する嵌合溝が設けられ、前記締付ボルトには締付ナットが螺合されて前記嵌合溝に嵌合した締付ボルトを締付けることにより仮設パイプなどの取付杆部に固定することができる単管クランプにおいて、前記固定クランプの側壁面には枢支軸に回転自在に枢着された断面コ字状の挟持部が設けられ、前記挟持部の一方の側壁中央に枢支軸が枢着されると共に、前記挟持部の両側壁には内方側に膨出する円弧状のスプリングが設けられるものである。
前記スプリングは上部を固定され三方を開放した長方形状に設けられ、前記側壁の両側に所定間隔を空けて設けられ、前記スプリングの膨出頂部にはビス穴がそれぞれ設けられると共に、前記側壁の前記枢支軸と対向する個所にビス穴を形成したものである。
【考案の効果】
【０００５】
本考案の単管クランプは、固定クランプの枢支軸により枢着されている挟持部を３６０°回転させることができるので、仮設工事に使用する手摺用垂木、仮囲い用丸波トタン、安全通路用合板（コンパネ）、落下防止用巾木を簡単に取り付けることができる。
【考案を実施するための最良の形態】
【０００６】
本考案の単管クランプの一実施例を図面に基づいて、以下に説明する。
図１の正面図に示すように、本考案の単管クランプ１は、仮設パイプなどの取付杆部に被嵌して締付固定する断面逆Ｌ状の固定クランプ２及び断面半円状の可動クランプ３からなり、前記固定クランプ２の両端に支軸４、４がそれぞれ垂設されて前記可動クランプ３の一端及び締付ボルト５が前記支軸４、４に回動自在に連結される。
前記可動クランプ３の他端には前記締付ボルト５が嵌合する嵌合溝（図示せず）が設けられ、前記締付ボルト５には締付ナット６が螺合されて前記嵌合溝（図示せず）に嵌合した締付ボルト５を締付けることにより仮設パイプなどの取付杆部に単管クランプ１を固定することができる。
前記固定クランプ２の側壁面には枢支軸７に回転自在に枢着された断面コ字状の挟持部８が設けられ、図３の平面図に示すように前記挟持部８の一方の側壁９中央に枢支軸７が枢着されると共に、図３Ｂ−Ｂ矢視断面の図４に示すように、前記挟持部８の両側壁９，９には内方側に膨出する円弧状のスプリング１０，１０が設けられる。
図１Ａ−Ａ矢視断面の図２に示すように、前記スプリング１０，１０は上部を固定され三方を開放した長方形状に設けられ、前記側壁９の両側に所定間隔を空けて設けられる。  図４に示すように前記スプリング１０，１０の膨出頂部にはビス穴１１，１１がそれぞれ設けられると共に、図３に示すように前記側壁９の前記枢支軸７と対向する個所にビス穴１２を形成する。
なお、１３は前記挟持部８の底壁である。
【０００７】
次に、本考案の単管クランプの使用例を図面に基づいて、以下に説明する。
最初に、本考案の単管クランプ１を使用して丸波トタンにより仮囲いをする場合について説明する。
図５に示すように、本考案の単管クランプ１は、固定クランプ２の枢支軸７により枢着されている挟持部８を３６０°回転させることができるので、前記挟持部８を実線で示す状態から１点鎖線で示す状態へ簡単に位置変更ができる。
図６に示すように、仮設用パイプである単管パイプＡが所定間隔で立設されており、この単管パイプＡの所定高さ位置、すなわち上下２個所に本考案の単管クランプ１を固定する。
そして、前記挟持部８を図５の実線で示す状態とし、図４の上方から前記挟持部８に垂木Ｂを嵌合するとスプリング１０が後退し、前記スプリング１０の後退により完全に垂木Ｂが前記挟持部８に収納され、前記垂木Ｂは前記スプリング１０により両側から押圧挟持される。
垂木Ｂが横架され、この垂木Ｂに対して丸波トタンＣを当接させ、前記挟持部８のビス穴１１，１１に向ってビス（図示せず）を取り付け、垂木Ｂと丸波トタンＣを固定する。
このようにして、建設工事現場において丸波トタンＣにより仮囲いをすることができる。
【０００８】
次に、本考案の単管クランプ１を使用して合板（コンパネ）により安全通路を形成する場合について説明する。
図７に示すように、仮設用パイプである単管パイプＡが所定間隔で立設されており、この単管パイプＡの上下２個所に本考案の単管クランプ１を固定する。
そして、上方の単管クランプ１の前記挟持部８を図５の１点鎖線で示す状態とし、下方の単管クランプ１の前記挟持部８を図５の実線で示す状態とする。
前記挟持部８に合板（コンパネ）Ｄを嵌合するとスプリング１０の後退により完全に合板（コンパネ）Ｄが前記挟持部８に収納され、前記合板（コンパネ）Ｄは前記スプリング１０により両側から押圧挟持される。
このようにして、建設工事現場において合板（コンパネ）Ｄにより安全通路を形成することができる。
【０００９】
さらに、本考案の単管クランプ１を使用して手摺および巾木を形成する場合について説明する。
図８に示すように、仮設用パイプである単管パイプＡが所定間隔で立設されており、この単管パイプＡの上下２個所に本考案の単管クランプ１を固定する。
そして、上方の単管クランプ１の前記挟持部８を図５の実線で示す状態とし、下方の単管クランプ１の前記挟持部８を図５の１点鎖線で示す状態とする。
上方の前記挟持部８に垂木Ｂを嵌合するとスプリング１０の後退により完全に垂木Ｂが前記挟持部８に収納され、垂木Ｂは前記スプリング１０により両側から押圧挟持される。
こうして垂木Ｂが横架され、垂木Ｂが手摺となって利用される。
また、下方の前記挟持部８に巾木Ｅを嵌合するとスプリング１０の後退により完全に巾木Ｅが前記挟持部８に収納され、巾木Ｅは前記スプリング１０により両側から押圧挟持される。
こうして巾木Ｅが横架され、巾木Ｅが落下防止用として利用される。
【図面の簡単な説明】
【００１０】
【図１】本考案の単管クランプの正面図である。
【図２】図１のＡ−Ａ矢視断面図である。
【図３】本考案の単管クランプの平面図である。
【図４】図３のＢ−Ｂ矢視断面図である。
【図５】本考案の単管クランプの使用状態を示す正面図である。
【図６】本考案の単管クランプの仮囲いを示す説明図である。
【図７】本考案の単管クランプの安全通路を示す説明図である。
【図８】本考案の単管クランプの手摺及び巾木を示す説明図である。
【符号の説明】
【００１１】
１  単管クランプ
２  固定クランプ
３  可動クランプ
４  支軸
５  締付ボルト
６  締付ナット
７  枢支軸
８  挟持部
９  側壁
１０  スプリング
１１  ビス穴
１２  ビス穴
１３  底壁
Ａ  単管パイプ
Ｂ  垂木
Ｃ  丸波トタン
Ｄ  合板（コンパネ）
Ｅ  巾木
【図１】
0003122672.tif 000003
【図２】
0003122672.tif 000004
【図３】
0003122672.tif 000005
【図４】
0003122672.tif 000006
【図５】
0003122672.tif 000007
【図６】
0003122672.tif 000008
【図７】
0003122672.tif 000009
【図８】
0003122672.tif 000010